(57)【要約】【課題】音声録音中における利用者の操作性を向上する。【解決手段】音声録音装置１が備える録音部１０は、音声を録音する。受付部１０２は、指定された遡及時間を受け付ける。情報付加部１０５は、利用者が所定操作を行ったことに応じて、前記録音部１０によって録音された音声において、基準時間から遡及時間分遡った位置に付加情報を付加する。【選択図】図２
2016156978.tif 000002
【特許請求の範囲】
【請求項１】
音声を録音する録音手段と、
指定された遡及時間を受け付ける受付手段と、
利用者が所定操作を行ったことに応じて、前記録音手段によって録音された音声において、基準時間から前記遡及時間分遡った位置に付加情報を付加する情報付加手段と、
を備える、
ことを特徴とする音声録音装置。
【請求項２】
前記基準時間は、前記録音手段が音声を録音中、利用者が所定操作を行った時間である、
ことを特徴とする請求項１に記載の音声録音装置。
【請求項３】
前記付加情報は、属性情報が対応付けられたアイコン、文書が対応付けられたアイコンまたは画像が対応付けられたアイコンのうち、少なくとも何れか１つのアイコンである、
ことを特徴とする請求項１または２に記載の音声録音装置。
【請求項４】
前記録音手段が音声を録音中、該音声の音声波形を表示手段に表示する音声波形表示手段を備え、
前記情報付加手段は、利用者が所定操作を行ったことに応じて、前記表示手段に表示された音声波形上において、基準時間から前記遡及時間分遡った位置に付加情報を表示する、
ことを特徴とする請求項１乃至３の何れか一項に記載の音声録音装置。
【請求項５】
前記録音手段が音声を録音中、該音声を解析して解析情報を取得する解析手段と、
前記表示手段に表示された音声波形と共に前記解析情報を表示する解析情報表示手段と、
をさらに備える、
ことを特徴とする請求項４に記載の音声録音装置。
【請求項６】
前記解析情報は、前記音声のうち、人間の発した声を含む音声区間を示す情報、該音声を対象とした音声認識によって認識された音声が示すテキストまたは該音声を対象としたスペクトル分析の結果を示すサウンドスペクトログラムのうち、少なくとも何れか１つである、
ことを特徴とする請求項５に記載の音声録音装置。
【請求項７】
前記受付手段が受け付ける遡及時間は複数あり、
前記複数の遡及時間それぞれに対応する軸を前記録音された音声の音声波形上に表示する軸表示手段と、
前記受付手段が複数の遡及時間のうち指定された遡及時間を受け付けたことに応じて、該受け付けた遡及時間に対応する軸のみを他の軸より強調する態様で表示する強調表示手段と、
をさらに備える、
ことを特徴とする請求項１乃至６の何れか一項に記載の音声録音装置。
【請求項８】
音声を録音する録音ステップと、
指定された遡及時間を受け付ける受付ステップと、
利用者が所定操作を行ったことに応じて、前記録音ステップで録音された音声において、基準時間から前記遡及時間分遡った位置に付加情報を付加する情報付加ステップと、
を含む、
ことを特徴とする音声録音方法。
【請求項９】
コンピュータを、
音声を録音する録音手段、
指定された遡及時間を受け付ける受付手段、
利用者が所定操作を行ったことに応じて、前記録音手段によって録音された音声において、基準時間から前記遡及時間分遡った位置に付加情報を付加する情報付加手段、
として機能させるためのプログラム。
【発明の詳細な説明】
【技術分野】
【０００１】
本発明は、音声録音装置、音声録音方法、及びプログラムに関する。
【背景技術】
【０００２】
音声を録音する技術が知られている。例えば、音声を録音する技術に関して、特許文献１には、音声を録音中、所定の操作が行われたことに応答して、その所定の操作が行われた時間から所定時間だけ遡った時間以降に録音された音声を記憶する技術が開示されている。
【０００３】
また、特許文献２には、音声を録音中、所定の操作が行われたことに応答して、その所定の操作が行われた時間から所定時間だけ遡った時間以降に録音された音声を再生する技術が開示されている。
【先行技術文献】
【特許文献】
【０００４】
【特許文献１】特開平０９−１４６５９０号公報
【特許文献２】特開２０００−１３２１８７号公報
【発明の概要】
【発明が解決しようとする課題】
【０００５】
ところで、講義や会議の音声を録音中、利用者が、話された内容を聞き逃したり、話された内容が重要だったことに後になって気づいたりすることがあった。このような場合、特許文献１及び２に開示された技術では、録音された音声を後で再生する場合に備えて、音声を録音中、直前に録音された音声に対して、聞き逃した箇所または重要な内容の含まれている箇所を特定できる情報を対応付けることができない。このため、利用者にとって操作性が悪いという問題があった。
【０００６】
本発明は、上記の問題を解決するためになされたものであり、音声録音中における利用者の操作性を向上する音声録音装置、音声録音方法、及びプログラムを提供することを目的とする。
【課題を解決するための手段】
【０００７】
上記目的を達成するため、本発明に係る音声録音装置は、
音声を録音する録音手段と、
指定された遡及時間を受け付ける受付手段と、
利用者が所定操作を行ったことに応じて、前記録音手段によって録音された音声において、基準時間から前記遡及時間分遡った位置に付加情報を付加する情報付加手段と、
を備える、
ことを特徴とする。
【発明の効果】
【０００８】
本発明によれば、音声録音中における利用者の操作性を向上することができる。
【図面の簡単な説明】
【０００９】
【図１】本発明の第１の実施の形態に係る音声録音装置の構成を例示するブロック図である。
【図２】本発明の第１の実施の形態に係る音声録音装置の機能構成を例示するブロック図である。
【図３】本発明の第１の実施の形態に係る音声録音装置が表示する録音画面の表示例１を示す図である。
【図４】本発明の第１の実施の形態に係る音声録音装置が実行する音声録音処理を説明するためのフローチャートである。
【図５】本発明の第１の実施の形態に係る音声録音装置が実行する付加情報表示処理を説明するためのフローチャートである。
【図６】表示データの一例を示す図である。
【図７】本発明の第１の実施の形態に係る音声録音装置が表示する録音画面の表示例２を示す図である。
【図８】本発明の第１の実施の形態に係る音声録音装置が表示する録音画面の表示例３を示す図である。
【図９】本発明の第１の実施の形態に係る音声録音装置が表示する録音画面の表示例４を示す図である。
【図１０】本発明の第１の実施の形態に係る音声録音装置が表示する録音画面の表示例５を示す図である。
【図１１】本発明の第１の実施の形態に係る音声録音装置が表示する録音画面の表示例６を示す図である。
【図１２】本発明の第１の実施の形態に係る音声録音装置が実行する音声再生処理を説明するためのフローチャートである。
【図１３】本発明の第１の実施の形態に係る音声録音装置が表示する再生画面の一例を示す図である。
【図１４】本発明の第２の実施の形態に係る音声録音装置が実行する音声録音処理を説明するためのフローチャートである。
【図１５】本発明の第２の実施の形態に係る音声録音装置が表示する録音画面の一例を示す図である。
【発明を実施するための形態】
【００１０】
（第１の実施の形態）
以下、本発明に係る音声録音装置を詳細に説明する。
【００１１】
音声録音装置１は、音声録音・再生機能を有し、音声を録音中、利用者が所定操作を行った時間（基準時間）から所定時間（遡及時間）分遡った時間において録音された音声に対応付けて、付加情報を表示することができる。ここで、付加情報は、属性情報や文書、画像が対応付けられた情報である。
【００１２】
音声録音装置１は、図１に示すように、録音部１０と、音声出力部１１と、表示部１２と、操作部１３と、撮像装置１４と、入出力インタフェース１５と、ＲＡＭ（Ｒａｎｄｏｍ  Ａｃｃｅｓｓ  Ｍｅｍｏｒｙ）１６と、記憶装置１７と、制御装置１８と、を備える。
【００１３】
図１においては、本実施の形態に係る音声録音装置１に特徴的な構成のみを図示する。なお、音声録音装置１は、独立したボイスレコーダとしても実現できるが、ＰＣ（Ｐｅｒｓｏｎａｌ  Ｃｏｍｐｕｔｅｒ）やスマートフォンでも実現できる。スマートフォンで実現させる場合には、電話通信及びメール送受信を行うための通信ユニットや自身の位置を測定するためのＧＰＳ（Ｇｌｏｂａｌ  Ｐｏｓｉｔｉｏｎｉｎｇ  Ｓｙｓｔｅｍ）装置等、通常のスマートフォンと同様の構成も備えている。
【００１４】
録音部１０は、マイクを備え、音声を録音する。
【００１５】
具体的に、録音部１０は、マイクを介して外部から音声（アナログ音声信号）を取得し、取得したアナログ音声信号を音声データ（デジタル音声信号）に変換する。そして、音声データに、音声データを識別するためのユニークな（一意的な）識別番号を対応付けることにより録音データ１７ｂを生成する。録音部１０は、生成した録音データ１７ｂを、後述する記憶装置１７へ供給し、記憶させる。
【００１６】
音声出力部１１は、スピーカを備え、音声を出力する。
【００１７】
具体的に、音声出力部１１は、記憶装置１７から録音データ１７ｂを読み出し、録音データ１７ｂに含まれる音声データを取得する。そして、音声データ（デジタル音声信号）を音声（アナログ音声信号）に変換し、スピーカを介して外部に出力する。
【００１８】
表示部１２は、ディスプレイを備え、制御装置１８の制御に従って各種画像を表示する。
【００１９】
表示部１２によって表示される画像には、録音画面ＲＷ、再生画面ＰＷ、これらの画面に含まれる各種のアイコン及び情報が含まれる。録音画面ＲＷ、再生画面ＰＷ、これらの画面に含まれる各種のアイコン及び情報については、詳細に後述する。
【００２０】
操作部１３は、利用者による操作を受け付ける。操作部１３は、受け付けた操作を後述する制御装置１８へ供給する。
【００２１】
操作部１３は、表示部１２が備えるディスプレイに重畳して配置されたタッチパネル、ディスプレイに表示されたソフトウェアキーボード、及び音声録音装置１の各種操作ボタンを備える。
【００２２】
撮像装置１４は、光学レンズとイメージセンサとを備え、制御装置１８の制御に従って被写体を撮像することにより画像を生成する。撮像装置１４は、生成した画像を記憶装置１７へ供給し、記憶させる。
【００２３】
入出力インタフェース１５は、外部機器との間でデータを送受信する。
【００２４】
具体的に、入出力インタフェース１５は、記憶装置１７が記憶している録音データ１７ｂ及び表示データ１７ｃを含む各種情報を、ＵＳＢ（Ｕｎｉｖｅｒｓａｌ  Ｓｅｒｉａｌ  Ｂｕｓ）規格のデータに変換し、ＵＳＢケーブルを介して外部機器との間で送受信する。
【００２５】
ＲＡＭ１６は、データやプログラムを一時的に記憶し、後述する制御装置１８が備えるＣＰＵ（Ｃｅｎｔｒａｌ  Ｐｒｏｃｅｓｓｉｎｇ  Ｕｎｉｔ）のワークメモリとして機能する。
【００２６】
記憶装置１７は、ＲＯＭ（Ｒｅａｄ  Ｏｎｌｙ  Ｍｅｍｏｒｙ）と、書き換え可能な不揮発性メモリ（例えば、フラッシュメモリやハードディスク）と、を備え、データやプログラムを固定的に記憶する。
【００２７】
具体的に、記憶装置１７は、音声録音装置１全体の制御に必要な制御プログラム１７ａをＲＯＭに記憶する。また、記憶装置１７は、音声録音・再生アプリケーションプログラムを含む各種アプリケーションプログラムを、書き換え可能な不揮発性メモリに記憶する。
【００２８】
また、記憶装置１７は、録音部１０から供給された録音データ１７ｂを記憶する。
【００２９】
また、記憶装置１７は、制御装置１８によって生成された表示データ１７ｃを記憶する。表示データ１７ｃの詳細については後述する。
【００３０】
制御装置１８は、ＣＰＵを備え、記憶装置１７に記憶された制御プログラム１７ａを実行することにより音声録音装置1全体を制御する。
【００３１】
また、制御装置１８は、記憶装置１７に記憶された音声録音・再生アプリケーションプログラムを実行することにより、図２に示すように、音声波形表示部１０１、受付部１０２、軸表示部１０３、強調表示部１０４、情報付加部１０５、解析部１０６、及び解析情報表示部１０７として機能する。
【００３２】
音声波形表示部１０１は、録音部１０が音声を録音中、その音声の音声波形を表示部１２に表示する。
【００３３】
具体的に、音声波形表示部１０１は、図３に示すように、表示部１２によって表示された録音画面ＲＷ中に音声波形ＳＷを表示する。録音画面ＲＷは、録音部１０が音声を録音中、表示部１２によってディスプレイに表示される画面である。音声波形ＳＷの横軸は時間を、縦軸は音声の振幅（音の大きさ）を表す。音声波形表示部１０１は、録音部１０から録音された音声を取得し、取得した音声に基づいて波形描画用データを生成して表示部１２へ供給する。表示部１２は、供給された波形描画用データに基づいて音声波形ＳＷを表示する。
【００３４】
受付部１０２は、指定された遡及時間を受け付ける。受付部１０２が受け付ける遡及時間は複数ある。
【００３５】
軸表示部１０３は、受付部１０２が受け付ける複数の遡及時間それぞれに対応する軸を音声波形ＳＷ上に表示する。
【００３６】
本実施の形態において、軸表示部１０３は、図３に示すように、受付部１０２が受け付ける遡及時間「０秒」、「−５秒」、「−１０秒」それぞれに対応する軸アイコンＡ０、Ａ５、Ａ１０を音声波形ＳＷ上に表示する。軸アイコンＡ０は、音声波形ＳＷ上の現在時間（音声波形ＳＷが表示部１２に表示された時間）に対応する位置に表示される。軸アイコンＡ５は、音声波形ＳＷ上の、現在時間から５秒だけ前の時間に対応する位置に表示される。軸アイコンＡ１０は、音声波形ＳＷ上の、現在時間から１０秒だけ前の時間に対応する位置に表示される。
【００３７】
録音画面ＲＷは、遡及時間を指定するためのボタンアイコンである指定ボタンＢ０、Ｂ５、Ｂ１０を含んでいる。指定ボタンＢ０、Ｂ５、Ｂ１０は、それぞれ、受付部１０２が受け付ける遡及時間「０秒」、「−５秒」、「−１０秒」それぞれに対応する。指定ボタンＢ０、Ｂ５、Ｂ１０の何れかが利用者によって押下されると、受付部１０２は、押下された指定ボタンに対応する遡及時間を、指定された遡及時間として受け付ける。例えば、指定ボタンＢ５が押下されると、指定ボタンＢ５に対応する遡及時間「−５秒」が、指定された遡及時間として受付部１０２に受け付けられる。
【００３８】
強調表示部１０４は、受付部１０２が複数の遡及時間のうち指定された遡及時間を受け付けたことに応じて、その受け付けた遡及時間に対応する軸のみを他の軸より強調する態様で表示する。
【００３９】
具体的に、受付部１０２が指定された遡及時間を受け付けると、これに応答して、強調表示部１０４は、その受け付けた遡及時間に対応する軸アイコンのみを他の軸アイコンより太く表示する（強調表示する）。例えば、指定ボタンＢ５が押下されたことに応じて、指定ボタンＢ５に対応する遡及時間「−５秒」が指定された遡及時間として受付部１０２に受け付けられると、強調表示部１０４は、図３に示すように、「−５秒」に対応する軸アイコンである軸アイコンＡ５を他の軸アイコンＡ０、Ａ１０より太く表示する（強調表示する）。
【００４０】
情報付加部１０５は、表示部１２に表示された音声波形ＳＷ上において、基準時間から遡及時間分遡った位置に付加情報を表示する。
【００４１】
付加情報とは、属性情報や文書、画像が対応付けられた情報である。本実施の形態において、情報付加部１０５は、図３に示す録音画面ＲＷ中のマークアイコンＩｍ、メモアイコンＩｔ、写真アイコンＩｐを付加情報として表示する。マークアイコンＩｍは、属性情報が対応付けられたアイコンである。メモアイコンＩｔは、文書が対応付けられたアイコンである。写真アイコンＩｐは、画像が対応付けられたアイコンである。
【００４２】
本実施の形態において、基準時間は、利用者が、図３に示す録音画面ＲＷ中のマークボタンＢｍ、メモボタンＢｔ、写真ボタンＢｐのうち何れかを押下した時間である。
【００４３】
マークボタンＢｍは、マークアイコンＩｍを表示させるためのボタンアイコンである。利用者がマークボタンＢｍを押下すると、情報付加部１０５は、音声波形ＳＷ上の、押下が行われた時間（基準時間）から遡及時間分遡った位置に、マークアイコンＩｍを表示する。メモボタンＢｔはメモアイコンＩｔを、写真ボタンＢｐは写真アイコンＩｐを、それぞれ表示させるためのボタンアイコンである。
【００４４】
解析部１０６は、録音部１０が録音した音声を解析して解析情報を取得する。解析情報表示部１０７は、表示部１２に表示された音声波形ＳＷと共にこの解析情報を表示する。
【００４５】
具体的に、解析部１０６は、音声の録音が終了した後、録音された音声に対して有声区間検出処理を施すことにより、録音された音声のうち、人間の発した声を含む音声区間（有声区間）を示す情報を解析情報として取得する。有声区間検出処理において、解析部１０６は、音声の録音が終了した後、録音部１０によって取得された全ての音声データに基づいて取得された閾値を用い、任意の公知技術に従って有声区間を検出する。
【００４６】
以下、上述の構成を有する音声録音装置１が音声録音処理を実行する動作を、図４〜図６を参照しながら詳細に説明する。
【００４７】
なお、説明は省略するものの、音声録音装置１をスマートフォンで実現した場合には、音声録音処理の他にも、通常のスマートフォンと同様に、電話通信、メールの送受信、ウェブページの閲覧等の各種動作を実行可能である。
【００４８】
音声録音処理の実行を所望する利用者は、音声録音装置１が備える操作部１３を操作することにより、音声録音・再生アプリケーションプログラムを起動するように指示する。
【００４９】
操作部１３を介して指示を受け付けると、制御装置１８は、音声録音・再生アプリケーションプログラムを記憶装置１７から読み出してＲＡＭ１６に展開する。
【００５０】
音声録音・再生アプリケーションプログラムが起動された状態において、利用者が、操作部１３を操作することにより、音声録音・再生アプリケーションプログラムが備える複数の動作モードのうちの１つである「音声録音モード」を選択すると、制御装置１８は、図４のフローチャートに示す音声録音処理を開始する。
【００５１】
音声録音処理を開始すると、まず、表示部１２に録音画面ＲＷを表示させ（ステップＳ１０１）、録音開始ボタンＲＳが押下されたか否かを判別する（ステップＳ１０２）。
【００５２】
録音開始ボタンＲＳが押下されていないと判別すると（ステップＳ１０２；ＮＯ）、処理はステップＳ１０２へ戻る。録音開始ボタンＲＳが押下されたと判別すると（ステップＳ１０２；ＹＥＳ）、録音部１０に音声の録音を開始させる（ステップＳ１０３）。
【００５３】
音声波形表示部１０１は、ステップＳ１０３で録音された音声に基づいて波形描画用データを生成して表示部１２へ供給し（ステップＳ１０４）、音声波形ＳＷを表示する（ステップＳ１０５）。また、音声波形表示部１０１は、生成した波形描画用データを記憶装置１７へ供給し、記憶させる。
【００５４】
軸表示部１０３は、受付部１０２が受け付け可能な複数の遡及時間それぞれに対応する軸（軸アイコンＡ０、Ａ５、Ａ１０）を音声波形ＳＷ上に表示する（ステップＳ１０６）。
【００５５】
次に、遡及時間を指定するためのボタンアイコンである指定ボタンＢ０、Ｂ５、Ｂ１０のうち何れかが押下されたか否かを判別する（ステップＳ１０７）。指定ボタンの何れも押下されていないと判別すると（ステップＳ１０７；ＮＯ）、処理はステップＳ１１０へ移る。
【００５６】
指定ボタンの何れかが押下されたと判別すると（ステップＳ１０７；ＹＥＳ）、押下された指定ボタンに対応する遡及時間を指定された遡及時間として受付部１０２が受け付ける（ステップＳ１０８）。そして、強調表示部１０４が、軸アイコンＡ０、Ａ５、Ａ１０のうち、ステップＳ１０８で受付部１０２が受け付けた遡及時間に対応する軸（軸アイコン）を強調表示する（ステップＳ１０９）。
【００５７】
次に、マークボタンＢｍ、メモボタンＢｔ、写真ボタンＢｐのうち何れかが押下されたか否かを判別する（ステップＳ１１０）。何れも押下されていないと判別すると（ステップＳ１１０；ＮＯ）、処理はステップＳ１１２へ移る。
【００５８】
マークボタンＢｍ、メモボタンＢｔ、写真ボタンＢｐのうち何れかが押下されたと判別すると（ステップＳ１１０；ＹＥＳ）、情報付加部１０５が付加情報表示処理を実行し（ステップＳ１１１）、表示部１２に表示された音声波形ＳＷ上に付加情報を表示する。
ここで、ステップＳ１１１の付加情報表示処理の詳細を、図５のフローチャートを参照しながら説明する。
【００５９】
マークボタンＢｍ、メモボタンＢｔ、写真ボタンＢｐのうち何れかのボタンアイコンが押下されたと図４のフローチャートのステップＳ１１０において判別されたことに応じて付加情報表示処理を開始すると、まず、当該ボタンアイコンが押下された時間を基準時間として取得する（ステップＳ２０１）。そして、押下されたボタンアイコンがマークボタンＢｍであるか否かを判別する（ステップＳ２０２）。マークボタンＢｍではないと判別すると（ステップＳ２０２；ＮＯ）、処理はステップＳ２０３へ移る。
【００６０】
押下されたボタンアイコンがマークボタンＢｍであると判別すると（ステップＳ２０２；ＹＥＳ）、利用者による、マークアイコンＩｍに対応付ける属性情報の選択を受け付ける（ステップＳ２１２）。
【００６１】
本実施の形態では、「Ｉｍｐｏｒｔａｎｔ（重要）」、「Ｆｏｒｇｅｔ（聞き逃し）」、及び「Ｎｏｔ  Ｕｎｄｅｒｓｔａｎｄ（理解できず）」の３種類の属性情報のうち何れかをマークアイコンＩｍに対応付けることができる。制御装置１８は、マークボタンＢｍが押下されたことに応じて、これら３種類の属性情報のうち何れかを利用者が選択するためのメニュー画面ＭＷを、録音画面ＲＷに重畳して表示部１２に表示する。利用者が、操作部１３を操作することにより、メニュー画面ＭＷ上で属性情報を選択すると、制御装置１８は操作部１３を介してこの選択を受け付ける。
【００６２】
情報付加部１０５は、表示部１２に表示された音声波形ＳＷ上の、ステップＳ２０１で取得した基準時間から図４のフローチャートのステップＳ１０８で受け付けた指定された遡及時間分遡った位置に、マークアイコンＩｍとステップＳ２１２で選択された属性情報を示す属性アイコンＩｆとを表示する（ステップＳ２１３）。そして、表示データ１７ｃを生成し（ステップＳ２０７）、生成した表示データ１７ｃを記憶装置１７へ供給して記憶させ、付加情報表示処理を終了する。
【００６３】
ここで、表示データ１７ｃは、表示部１２に表示された音声波形ＳＷ上に付加情報を表示するための情報である。
【００６４】
表示データ１７ｃは、図６に示すように、付加情報の種類と、付加情報に対応付けられた情報と、付加情報の表示される位置と、を互いに対応付けて含んでいる。付加情報の表示される位置は、付加情報がその音声波形ＳＷ上に表示される音声データの識別番号と、音声波形ＳＷ上の付加情報が表示される位置に対応する音声データ中の時間と、によって示されている。
例えば、図６の表示データ１７ｃは、「属性情報「Ｉｍｐｏｒｔａｎｔ」」が対応付けられた「マークアイコンＩｍ」を、識別番号「０００１」が付与された音声データの音声波形ＳＷ上の、その音声データ中の時間「００時０９分１２秒」に対応する位置に表示するべきことを示している。
【００６５】
ステップＳ２１３にてマークアイコンＩｍと属性アイコンＩｆとを表示した後、ステップＳ２０７にて表示データ１７ｃを生成する場合、ステップＳ２１２で選択を受け付けた属性情報がマークアイコンＩｍに対応付けられた情報として表示データ１７ｃに格納される。また、このマークアイコンＩｍの表示される位置として、ステップＳ２１３にて音声波形ＳＷ上に表示した際の位置が表示データ１７ｃに格納される。
【００６６】
図５のフローチャートに戻って、ステップＳ２０３において、メモボタンＢｔが押下されたか否かを判別する。
【００６７】
メモボタンＢｔが押下されたと判別すると（ステップＳ２０３；ＹＥＳ）、利用者がメモ（文書）を入力するためのメモ入力画面を録音画面ＲＷに重畳して表示部１２に表示させる（ステップＳ２０８）。そして、利用者によるメモの入力を、操作部１３を介して受け付け（ステップＳ２０９）、利用者が入力したメモの保存を指示したか否かを判別する（ステップＳ２１０）。メモの保存が指示されていないと判別すると（ステップＳ２１０；ＮＯ）、処理はステップＳ２０９へ戻る。
【００６８】
メモの保存が指示されたと判別すると（ステップＳ２１０；ＹＥＳ）、情報付加部１０５は、表示部１２に表示された音声波形ＳＷ上の、ステップＳ２０１で取得した基準時間から図４のフローチャートのステップＳ１０８で受け付けた指定された遡及時間分遡った位置に、メモアイコンＩｔを表示する（ステップＳ２１１）。そして、表示データ１７ｃを生成し（ステップＳ２０７）、生成した表示データ１７ｃを記憶装置１７へ供給して記憶させ、付加情報表示処理を終了する。
【００６９】
ステップＳ２１１でメモアイコンＩｔを表示した後、ステップＳ２０７で表示データ１７ｃを生成する場合、ステップＳ２１０でメモ（文書）保存の指示を受け付ける（ステップＳ２１０；ＹＥＳ）直前のステップＳ２０９において入力を受け付けていたメモ（文書）を、このメモアイコンＩｔに対応付けられた情報として表示データ１７ｃに格納する。また、このメモアイコンＩｔの表示される位置として、ステップＳ２１１にて音声波形ＳＷ上に表示した際の位置が表示データ１７ｃに格納される。
【００７０】
図５のフローチャートの付加情報表示処理は、図４のフローチャートのステップＳ１１０においてマークボタンＢｍ、メモボタンＢｔ、写真ボタンＢｐのうち何れかが押下されたと判別された（ステップＳ１１０；ＹＥＳ）ことに応じて開始された。マークボタンＢｍが押下されなかったと判別され（ステップＳ２０２；ＮＯ）、メモボタンＢｔが押下されなかったと判別された（ステップＳ２０３；ＮＯ）場合、写真ボタンＢｐが押下されたことを意味する。
【００７１】
従って、ステップＳ２０３において、メモボタンＢｔが押下されていないと判別すると（ステップＳ２０３；ＮＯ）、写真ボタンＢｐが押下されたと判別し（ステップＳ２０４）、撮像装置１４を制御して被写体を撮像させ、画像を生成させる（ステップＳ２０５）。
【００７２】
情報付加部１０５は、表示部１２に表示された音声波形ＳＷ上の、ステップＳ２０１で取得した基準時間から図４のフローチャートのステップＳ１０８で受け付けた指定された遡及時間分遡った位置に、写真アイコンＩｐを表示する（ステップＳ２０６）。そして、表示データ１７ｃを生成し（ステップＳ２０７）、生成した表示データ１７ｃを記憶装置１７へ供給して記憶させ、付加情報表示処理を終了する。
【００７３】
ステップＳ２０６で写真アイコンＩｐを表示した後、ステップＳ２０７で表示データ１７ｃを生成する場合、ステップＳ２０５で生成した画像を、この写真アイコンＩｐに対応付けられた情報として表示データ１７ｃに格納する。また、この写真アイコンＩｐの表示される位置として、ステップＳ２０６にて音声波形ＳＷ上に表示した際の位置が表示データ１７ｃに格納される。
【００７４】
図４のフローチャートに戻って、ステップＳ１１１の付加情報表示処理を終えた後、操作部１３を介して音声録音終了の指示を受け付けたか否かを判別する（ステップＳ１１２）。音声録音終了の指示を受け付けていないと判別すると（ステップＳ１１２；ＮＯ）、処理はステップＳ１０３へ戻る。
【００７５】
音声録音終了の指示を受け付けたと判別すると（ステップＳ１１２；ＹＥＳ）、解析部１０６が録音された音声に有声区間検出処理を施し（ステップＳ１１３）、音声録音処理を終了する。
【００７６】
具体的に、ステップＳ１１３の有声区間検出処理において、解析部１０６は、音声の録音が終了した後、録音終了までに録音部１０によって取得された全ての音声データに基づいて取得された閾値を用い、任意の公知技術に従って有声区間を検出する。解析部１０６は、ステップＳ１１３の有声区間検出処理によって検出された有声区間を示す情報を解析情報として取得し、この解析情報を記憶装置１７へ供給し、記憶させる。
【００７７】
以下、上述の音声録音処理の具体例を、図７〜図１１を参照しながら詳細に説明する。
【００７８】
音声録音処理を開始すると、まず、表示部１２に図７に示す録音画面ＲＷを表示させ（ステップＳ１０１）、録音画面ＲＷが含む録音開始ボタンＲＳが押下されたか否かを判別する（ステップＳ１０２）。
【００７９】
録音開始ボタンＲＳが押下されたと判別すると（ステップＳ１０２；ＹＥＳ）、録音部１０に音声の録音を開始させる（ステップＳ１０３）。
【００８０】
音声波形表示部１０１は、ステップＳ１０３で録音された音声に基づいて波形描画用データを生成して表示部１２へ供給し（ステップＳ１０４）、図８に示す音声波形ＳＷを表示させる（ステップＳ１０５）。また、音声波形表示部１０１は、生成した波形描画用データを記憶装置１７へ供給し、記憶させる。
【００８１】
軸表示部１０３は、指定された遡及時間として受付部１０２が受け付け可能な遡及時間にそれぞれ対応する軸（軸アイコンＡ０、Ａ５、Ａ１０）を、図８に示すように、表示部１２に表示された音声波形ＳＷ上に表示する（ステップＳ１０６）。
【００８２】
本実施の形態では、デフォルトの遡及時間として「０秒」が設定されている。これに対応して、図８に示すように、デフォルトの遡及時間「０秒」に対応する軸アイコンＡ０が他の軸アイコンＡ５、Ａ１０よりも太く表示されている（他の軸アイコンより強調する態様で表示されている）。また、デフォルトの遡及時間「０秒」に対応する指定ボタンＢ０も強調表示されている（他の指定ボタンＢ５、Ｂ１０よりも明るく表示されている）。
【００８３】
次に、遡及時間を指定するためのボタンアイコンである指定ボタンＢ０、Ｂ５、Ｂ１０のうち何れかが押下されたか否かを判別する（ステップＳ１０７）。
ここで、利用者が、指定ボタンＢ１０を押下したものとして説明する。
【００８４】
利用者が指定ボタンＢ１０を押下すると、指定ボタンの何れかが押下されたと判別され（ステップＳ１０７；ＹＥＳ）、押下された指定ボタンＢ１０に対応する遡及時間「−１０秒」を指定された遡及時間として受付部１０２が受け付ける（ステップＳ１０８）。そして、強調表示部１０４が、軸アイコンＡ０、Ａ５、Ａ１０のうち、ステップＳ１０８で受付部１０２が受け付けた遡及時間「−１０秒」に対応する軸アイコンＡ１０を、図９に示すように、他の軸アイコンＡ０、Ａ５よりも太く表示する（他の軸アイコンＡ０、Ａ５より強調する態様で表示する）（ステップＳ１０９）。
【００８５】
また、本実施の形態では、ステップＳ１０７において押下されたと判別した指定ボタン（ここでは、指定ボタンＢ１０）を、図９に示すように、強調表示する（他の指定ボタンＢ０、Ｂ５、Ｂ１０よりも明るく表示する）。
【００８６】
次に、マークボタンＢｍ、メモボタンＢｔ、写真ボタンＢｐのうち何れかが押下されたか否かを判別する（ステップＳ１１０）。
ここで、利用者が、マークボタンＢｍを押下したものとして説明する。
【００８７】
利用者がマークボタンＢｍを押下すると、マークボタンＢｍ、メモボタンＢｔ、写真ボタンＢｐのうち何れかが押下されたと判別され（ステップＳ１１０；ＹＥＳ）、付加情報表示処理が実行され（ステップＳ１１１）、表示部１２に表示された音声波形ＳＷ上にマークアイコンＩｍと属性アイコンＩｆとが付加情報として表示される。
【００８８】
図５のフローチャートを参照して、ステップＳ１１１の付加情報表示処理を開始すると、まず、マークボタンＢｍが押下された時間を基準時間として取得する（ステップＳ２０１）。そして、押下されたボタンアイコンがマークボタンＢｍであるか否かを判別する（ステップＳ２０２）。ここでは、マークボタンＢｍが押下された場合を例に説明しているので、押下されたボタンアイコンがマークボタンＢｍであると判別され（ステップＳ２０２；ＹＥＳ）、利用者による、マークアイコンＩｍに対応付ける属性情報の選択を受け付ける（ステップＳ２１２）。
【００８９】
具体的に、制御装置１８は、表示部１２を制御して、図１０に示すように、録音画面ＲＷに重畳してメニュー画面ＭＷを表示させる。利用者が、操作部１３を操作することにより、メニュー画面ＭＷ上で、３種類の属性情報（「Ｉｍｐｏｒｔａｎｔ（重要）」、「Ｆｏｒｇｅｔ（聞き逃し）」、及び「Ｎｏｔ  Ｕｎｄｅｒｓｔａｎｄ（理解できず）」）のうち何れかを選択すると、制御装置１８は操作部１３を介してこの選択を受け付ける。
ここで、利用者が、マークアイコンＩｍに対応付ける属性情報として属性情報「Ｉｍｐｏｒｔａｎｔ」を選択したものとして説明する。
【００９０】
情報付加部１０５は、図１１に示すように、表示部１２に表示された音声波形ＳＷ上の、ステップＳ２０１で取得した基準時間から図４のフローチャートのステップＳ１０８で受け付けた指定された遡及時間分遡った位置に、マークアイコンＩｍとステップＳ２１２で選択された属性情報「Ｉｍｐｏｒｔａｎｔ」を示す属性アイコンＩｆとを表示する（ステップＳ２１３）。
【００９１】
また、本実施の形態では、図１１に示すように、表示部１２に表示された音声波形ＳＷ上の、基準時間とマークアイコンＩｍ及び属性アイコンＩｆとの間の区間を網掛け表示する。
【００９２】
そして、表示データ１７ｃを生成し（ステップＳ２０７）、生成した表示データ１７ｃを記憶装置１７へ供給して記憶させ、付加情報表示処理を終了する。具体的に、ステップＳ２１２で選択を受け付けた属性情報「Ｉｍｐｏｒｔａｎｔ」をマークアイコンＩｍに対応付けられた情報として、ステップＳ２１３にて音声波形ＳＷ上に表示した際の位置をこのマークアイコンＩｍの表示される位置として、格納することによって表示データ１７ｃを生成する。
【００９３】
図４のフローチャートに戻って、ステップＳ１１１の付加情報表示処理を実行してマークアイコンＩｍと属性アイコンＩｆとを表示した後、操作部１３を介して音声録音終了の指示を受け付けたか否かを判別する（ステップＳ１１２）。音声録音終了の指示を受け付けていないと判別すると（ステップＳ１１２；ＮＯ）、処理はステップＳ１０３へ戻る。
【００９４】
音声録音終了の指示を受け付けたと判別すると（ステップＳ１１２；ＹＥＳ）、解析部１０６が録音された音声に有声区間検出処理を施し（ステップＳ１１３）、音声録音処理を終了する。
【００９５】
次に、音声録音装置１が音声再生処理を実行する動作を、図１２及び１３を参照しながら詳細に説明する。
【００９６】
音声再生処理の実行を所望する利用者は、音声録音装置１が備える操作部１３を操作することにより、音声録音・再生アプリケーションプログラムを起動するように指示する。操作部１３を介して指示を受け付けると、制御装置１８は、音声録音・再生アプリケーションプログラムを記憶装置１７から読み出してＲＡＭ１６に展開する。
【００９７】
音声録音・再生アプリケーションプログラムが起動された状態において、利用者が、操作部１３を操作することにより、音声録音・再生アプリケーションプログラムが備える複数の動作モードのうちの１つである「音声再生モード」を選択する。
【００９８】
「音声再生モード」を選択した後、利用者は、操作部１３を操作して、再生を所望する録音データ１７ｂを選択する。録音データ１７ｂが選択されると、制御装置１８は、図１２のフローチャートに示す音声再生処理を開始する。
【００９９】
音声再生処理を開始すると、まず、図１３に示す再生画面ＰＷを表示部１２に表示させ（ステップＳ３０１）、図１３の再生開始ボタンＰＳが押下されたか否かを判別する（ステップＳ３０２）。再生開始ボタンＰＳが押下されていないと判別すると（ステップＳ３０２；ＮＯ）、処理はステップＳ３０２へ戻る。
【０１００】
再生開始ボタンＰＳが押下されたと判別すると（ステップＳ３０２；ＹＥＳ）、利用者が選択した録音データ１７ｂを記憶装置１７から読み出して音声出力部１１へ供給し、この録音データ１７ｂに基づいて音声を出力させる（ステップＳ３０３）。
【０１０１】
音声波形表示部１０１は、録音データ１７ｂに対応する波形描画用データを記憶装置１７から読み出して表示部１２へ供給し、この波形描画用データに基づいて音声波形ＳＷを表示させる（ステップＳ３０４）。
【０１０２】
情報付加部１０５は、録音データ１７ｂに対応する表示データ１７ｃを記憶装置１７から読み出して表示部１２へ供給し、この表示データ１７ｃに基づいて付加情報（マークアイコンＩｍ、メモアイコンＩｔ、写真アイコンＩｐ）を表示する（ステップＳ３０５）。例えば、情報付加部１０５は、図１３に示すように、マークアイコンＩｍを表示データ１７ｃに基づいて表示する。この際、マークアイコンＩｍが表示されている位置は、音声を録音中、図５のフローチャートのステップＳ２１３において当該マークアイコンＩｍが表示された位置と同じである。
【０１０３】
解析情報表示部１０７は、録音データ１７ｂに対応する解析情報（録音データ１７ｂが含む音声データのうち、人間の発する声を含む音声区間（有声区間）を示す情報）を記憶装置１７から読み出し、この解析情報を音声波形ＳＷと共に表示部１２に表示する（ステップＳ３０６）。具体的に、解析情報表示部１０７は、図１３に示すように、有声区間を示す網掛けアイコンＶＳを、解析情報として、音声波形ＳＷと共に再生画面ＰＷ中に表示する。
【０１０４】
次に、マークアイコンＩｍ、メモアイコンＩｔ、写真アイコンＩｐのうち何れかが押下されたか否かを判別する（ステップＳ３０７）。何れも押下されていないと判別すると（ステップＳ３０７；ＮＯ）、処理はステップＳ３０８へ移る。
【０１０５】
マークアイコンＩｍ、メモアイコンＩｔ、写真アイコンＩｐのうち何れかが押下されたと判別すると（ステップＳ３０７；ＹＥＳ）、押下されたボタンアイコンに対応する処理を実行し（ステップＳ３１０）、処理はステップＳ３０８へ移る。
【０１０６】
具体的に、マークアイコンＩｍが押下されると、対応する処理として、その押下されたマークアイコンＩｍが表示された位置まで音声再生位置をスキップする。
メモアイコンＩｔが押下されると、対応する処理として、その押下されたメモアイコンＩｔに対応付けられたメモ（文書）を表示する。
写真アイコンＩｐが押下されると、対応する処理として、その押下された写真アイコンＩｐに対応付けられた画像を表示する。
【０１０７】
次に、操作ボタンＯＢ１〜ＯＢ１２のうち何れかが押下されたか否かを判別する（ステップＳ３０８）。何れの操作ボタンも押下されていないと判別すると（ステップＳ３０８；ＮＯ）、処理はステップＳ３０９へ移る。
【０１０８】
操作ボタンＯＢ１〜ＯＢ１２のうち何れかが押下されたと判別すると（ステップＳ３０８；ＹＥＳ）、押下された操作ボタンに対応する処理を実行し（ステップＳ３１１）、処理はステップＳ３０９へ移る。
【０１０９】
具体的に、操作ボタンＯＢ１〜ＯＢ３が押下されると、対応する処理として、押下された時間から、それぞれ「−５秒」、「−１０秒」、「−１５秒」だけ前に再生位置をスキップする。
操作ボタンＯＢ４が押下されると、対応する処理として、ノイズ（雑音）を低減する。
操作ボタンＯＢ５〜ＯＢ８が押下されると、対応する処理として、音声の再生速度を、それぞれ「０．５倍」、「１．０倍」、「２．０倍」、「３．０倍」に変化させる。
操作ボタンＯＢ９が押下されると、対応する処理として、有声区間（音声のうち、人間の発した声を含む音声区間）以外の音声区間をスキップする。
操作ボタンＯＢ１０〜ＯＢ１２が押下されると、対応する処理として、押下された時間から、それぞれ「１５秒」、「１０秒」、「５秒」だけ後に再生位置をスキップする。
【０１１０】
ステップＳ３０９において、音声データが終了時間まで再生されたか否かを判別する。音声データが終了時間まで再生されていないと判別すると（ステップＳ３０９；ＮＯ）、処理はステップＳ３０３へ移る。
【０１１１】
音声データが終了時間まで再生されたと判別すると（ステップＳ３０９；ＹＥＳ）、音声再生処理を終了する。
【０１１２】
以上説明したように、本実施の形態に係る音声録音装置１は、音声を録音中、直前に録音された音声に対応付けて、属性情報やメモ（文書）、画像が対応付けられた付加情報（マークアイコンＩｍ、メモアイコンＩｔ、写真アイコンＩｐ）を表示する。利用者は、録音された音声を後で再生する際、付加情報を参照することにより、聞き逃した箇所や重要な内容の含まれている箇所を特定することができる。
【０１１３】
すなわち、本実施の形態に係る音声録音装置１は、録音された音声を後で再生する場合に備えて、音声を録音中、直前に録音された音声に対して、聞き逃した箇所または重要な内容の含まれている箇所を特定できる情報（付加情報）を対応付けることができる。従って、音声録音中における利用者の操作性を向上することができる。
【０１１４】
（第２の実施の形態）
第１の実施の形態に係る音声録音装置１は、音声を録音中、表示部１２に表示された音声波形ＳＷと共に、属性情報やメモ（文書）、画像が対応付けられた付加情報（マークアイコンＩｍ、メモアイコンＩｔ、写真アイコンＩｐ）を表示した。
音声を録音中、付加情報以外の情報を音声波形ＳＷと共に表示することを利用者が所望する場合がある。
【０１１５】
以下、音声を録音中、付加情報と、録音された音声を解析して取得された解析情報と、を音声波形ＳＷと共に表示する音声録音装置１の機能及び動作を説明する。
【０１１６】
本実施の形態に係る音声録音装置１は、第１の実施の形態に係る音声録音装置１と概ね共通の構成を有する。ただし、解析部１０６及び解析情報表示部１０７の機能が一部異なる。
【０１１７】
第１の実施の形態に係る解析部１０６は、音声の録音が終了した後、録音された音声に対して有声区間検出処理を施すことにより有声区間を示す情報を解析情報として取得した。
【０１１８】
本実施の形態に係る解析部１０６は、音声の録音が終了した後に有声区間検出処理を実行すると共に、音声の録音中、録音中の音声に対して有声区間検出事前処理を施すことにより仮の有声区間を示す情報を解析情報として取得する。
以下、有声区間検出事前処理と、仮の有声区間と、について詳細に説明する。
【０１１９】
有声区間検出処理においては、音声の録音が終了した後、録音終了までに取得された全ての音声データに基づいて取得された閾値を用いて、音声のうち、人間の発した声を含む音声区間を検出する。これに対し、有声区間検出事前処理においては、音声の録音中、各時点までに取得された音声データに基づいて取得された閾値を用いて、音声のうち、人間の発した声を含む音声区間を検出する。
【０１２０】
同じく音声データに基づいて取得される閾値ではあるものの、有声区間検出事前処理で用いられる閾値は、有声区間検出処理で用いられる閾値よりも、取得の基礎となる音声データの量が少ないため、不適切な閾値である可能性が高い。従って、人間の発した声を含む音声区間として有声区間検出処理によって検出された音声区間は、人間の発した声を含む音声区間として有声区間検出事前処理によって検出された音声区間よりも、実際に人間の発した声を含む音声区間である可能性が高い。このため、前者から後者を区別するために、前者を「有声区間」、後者を「仮の有声区間」と称する。
【０１２１】
また、解析部１０６は、音声の録音中、録音中の音声を対象とした音声認識によって認識された音声が示すテキストを解析情報として取得する。
【０１２２】
また、解析部１０６は、音声の録音中、録音中の音声を対象としたスペクトル分析を行い、このスペクトル分析の結果を示すサウンドスペクトログラムを解析情報として取得する。サウンドスペクトログラムの横軸は時間を、縦軸は周波数を、濃淡は各周波数成分の強度を表す。
【０１２３】
第１の実施の形態に係る解析情報表示部１０７は、音声の再生中、表示部１２に表示された音声波形ＳＷと共に解析情報を表示した。本実施の形態に係る解析情報表示部１０７は、音声の録音中、表示部１２に表示された音声波形ＳＷと共に解析情報を表示する。
【０１２４】
以下、上述の構成を有する本実施の形態に係る音声録音装置１が音声録音処理を実行する動作を、図１４及び１５を参照して説明する。
【０１２５】
本実施の形態に係る音声録音装置１は、図４のフローチャートに示す音声録音処理、及び図５のフローチャートに示す付加情報表示処理と概ね共通の処理を実行する。
【０１２６】
ただし、本実施の形態に係る音声録音装置１は、図４のフローチャートのステップＳ１０５の処理を実行した後、ステップＳ１０６の処理を実行する前に、図１４のフローチャートに示すステップＳ４０１〜Ｓ４０６の処理を実行する。
【０１２７】
具体的に、音声波形表示部１０１がステップＳ１０５の処理を実行して録音画面ＲＷ中に音声波形ＳＷを表示部１２に表示した後、解析部１０６が、図４のフローチャートのステップＳ１０３において録音部１０が録音した音声を対象として音声区間検出事前処理を実行し、仮の有声区間を示す情報を解析情報として取得する（ステップＳ４０１）。
【０１２８】
そして、解析情報表示部１０７が、ステップＳ４０１で解析情報として取得された仮の有声区間を示す情報を、表示部１２に表示された音声波形ＳＷと共に表示する（ステップＳ４０２）。
【０１２９】
具体的に、解析情報表示部１０７は、図１５に示すように、録音画面ＲＷ中において、仮の有声区間を示す網掛けアイコンＰＶＳを、音声波形ＳＷと共に表示する。
【０１３０】
次に、解析部１０６は、ステップＳ１０３において録音部１０が録音した音声を対象とした音声認識を行い、この音声認識によって認識された音声が示すテキストを解析情報として取得する（ステップＳ４０３）。
【０１３１】
そして、解析情報表示部１０７が、ステップＳ４０３で解析情報として取得された全てのテキストＴＸを、図１５に示すように、表示部１２に表示された音声波形ＳＷと共に表示する（ステップＳ４０４）。
【０１３２】
次に、解析部１０６は、ステップＳ１０３において録音部１０が録音した音声を対象としたスペクトル分析を行い、このスペクトル分析の結果を示すサウンドスペクトログラムを解析情報として取得する（ステップＳ４０５）。
【０１３３】
そして、解析情報表示部１０７が、ステップＳ４０５で解析情報として取得されたサウンドスペクトログラムＳＰを、図１５に示すように、表示部１２に表示された音声波形ＳＷと共に表示する（ステップＳ４０６）。
【０１３４】
ステップＳ４０６の処理を終えた後、処理は図４のフローチャートのステップＳ１０６へ移る。
【０１３５】
なお、本実施の形態に係る音声録音装置１は、ステップＳ４０１で音声区間検出事前処理を実行して仮の有声区間を示す情報を解析情報として取得した後、図４のフローチャートのステップＳ１１３で音声区間検出処理を実行して有声区間を示す情報を解析情報として取得する。音声録音装置１は、これらの処理によって得られた解析情報のうち、有声区間を示す解析情報のみを記憶装置１７へ供給し、記憶させる。
【０１３６】
本実施の形態に係る音声録音装置１が音声再生処理を実行する際、解析情報表示部１０７は、記憶装置１７に記憶された解析情報に基づいて有声区間を示す情報を表示する一方、不正確である可能性が比較的高い仮の有声区間を示す情報は表示しない。
【０１３７】
以上説明したように、本実施の形態に係る音声録音装置１は、音声を録音中、付加情報と、録音された音声を解析して取得された解析情報と、を音声波形ＳＷと共に表示する。
【０１３８】
すなわち、本実施の形態に係る音声録音装置１は、録音された音声を後で再生する場合に備えて、音声を録音中、直前に録音された音声に対して、付加情報（録音された音声を後で再生する際、聞き逃した箇所または重要な内容の含まれている箇所を特定できる情報）を対応付けると共に、解析情報を表示することもできる。従って、音声録音中における利用者の操作性を向上することができる。
【０１３９】
以上に本発明の実施の形態について説明したが、これらの実施の形態は一例であり、本発明の適用範囲はこれに限られない。すなわち、本発明の実施の形態は種々の応用が可能であり、あらゆる実施の形態が本発明の範囲に含まれる。
【０１４０】
上記実施の形態では、録音部１０〜記憶装置１７、及び制御装置１８によって実現される音声波形表示部１０１〜解析情報表示部１０７が、単一の装置（音声録音装置１）に備えられていた。
録音部１０〜記憶装置１７、及び制御装置１８によって実現される音声波形表示部１０１〜解析情報表示部１０７は、それぞれ別々の装置に備えられていてもよい。例えば、録音部１０がある装置（例えば、ヘッドセット）に備えられる一方、表示部１２が別の装置（例えば、テレビ）に備えられ、その他の構成（音声出力部１１、操作部１３〜記憶装置１７、音声波形表示部１０１〜解析情報表示部１０７）はさらに別の装置（例えば、ヘッドセットから録音された音声を取得すると共に、テレビを制御して各種画像を表示させるノートパソコン）に備えられていてもよい。
【０１４１】
上記実施の形態で、音声録音装置１は、表示部１２に表示された音声波形ＳＷ上に、基準時間から遡及時間分遡った位置に付加情報を表示した。この際、基準時間は、利用者がマークボタンＢｍ、メモボタンＢｔ、写真ボタンＢｐの何れかを押下した時間であった。
基準時間は、利用者が任意の所定操作を行った時間とすることができる。例えば、利用者が指定ボタンＢ０、Ｂ５、Ｂ１０を押下した時間（受付部１０２が指定された遡及時間を受け付けた時間）を基準時間としてもよい。
【０１４２】
上記実施の形態で、付加情報の例として、マークアイコンＩｍ、メモアイコンＩｔ、写真アイコンＩｐを挙げて説明した。
付加情報はこれに限らず、任意の情報であってよい。例えば、付加情報は、音声データが対応付けられたアイコンであってもよい。
【０１４３】
上記実施の形態では、メモアイコンＩｔに、メモボタンＢｔを押下した後に利用者が入力したメモ（文書）が対応付けられた。
メモアイコンＩｔには、これに限らず、任意の文書を対応付けることができる。例えば、予め外部から取得し記憶していた文書をメモアイコンＩｔに対応付けてもよい。
【０１４４】
上記実施の形態では、写真アイコンＩｐに、写真ボタンＢｐが押下されたと判別したことに応じて撮像装置１４が生成した画像を対応付けた。
写真アイコンＩｐには、これに限らず、任意の画像を対応付けることができる。例えば、予め外部から取得し記憶していた画像を写真アイコンＩｐに対応付けてもよい。
【０１４５】
上記実施の形態で、強調表示部１０４は、受付部１０２が指定された遡及時間として受け付けた遡及時間に対応する軸（軸アイコン）を他の遡及時間に対応する軸よりも太く表示した。
強調表示部１０４は、この他の任意の方法によって、遡及時間として受け付けられた時間に対応する軸を他の軸より強調する態様で表示することができる。例えば、軸表示部１０３は、受け付けられた時間に対応する軸を、他の軸よりも明るく表示してもよい。また、受け付けられた時間に対応する軸を、他の軸とは異なる色で表示することもできる。
【０１４６】
上記実施の形態では、本発明に係る音声録音装置を単独の機能を有する個別の装置として説明したが、スマートフォン、コンピュータ、ボイスレコーダ、デジタルカメラ、ＰＤＡ（Ｐｅｒｓｏｎａｌ  Ｄｉｇｉｔａｌ  Ａｓｓｉｓｔａｎｃｅ）等の任意の電子機器によって実現することもできる。
【０１４７】
具体的には、スマートフォン、コンピュータ、ボイスレコーダ、デジタルカメラ、ＰＤＡ等を本発明に係る音声録音装置として動作させるためのプログラムを、これらの電子機器が読み取り可能な記録媒体（例えば、メモリカードやＣＤ−ＲＯＭ（Ｃｏｍｐａｃｔ  Ｄｉｓｃ  Ｒｅａｄ−Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ−Ｏｎｌｙ  Ｍｅｍｏｒｙ）等）に格納して配布し、インストールすることにより本発明に係る音声録音装置を実現することができる。
【０１４８】
あるいは、上記プログラムを、インターネット等の通信ネットワーク上のサーバ装置が有する記憶装置（例えば、ディスク装置等）に格納しておき、スマートフォン、コンピュータ、ボイスレコーダ、デジタルカメラ、ＰＤＡ等がこのプログラムをダウンロードすることによって本発明に係る音声録音装置を実現してもよい。
【０１４９】
また、本発明に係る音声録音装置の機能を、オペレーティングシステム（ＯＳ：Ｏｐｅｒａｔｉｎｇ  Ｓｙｓｔｅｍ）とアプリケーションプログラムとの協働又は分担により実現する場合には、アプリケーションプログラム部分のみを記録媒体や記憶装置に格納してもよい。
【０１５０】
また、アプリケーションプログラムを搬送波に重畳し、通信ネットワークを介して配信してもよい。例えば、通信ネットワーク上の掲示板（ＢＢＳ：Ｂｕｌｌｅｔｉｎ  Ｂｏａｒｄ  Ｓｙｓｔｅｍ）にアプリケーションプログラムを掲示し、ネットワークを介してアプリケーションプログラムを配信してもよい。そして、このアプリケーションプログラムをコンピュータにインストールして起動し、ＯＳの制御下で、他のアプリケーションプログラムと同様に実行することにより、本発明に係る音声録音装置を実現してもよい。
【０１５１】
以上、本発明の好ましい実施の形態について説明したが、本発明は係る特定の実施の形態に限定されるものではなく、本発明には、特許請求の範囲に記載された発明とその均等の範囲が含まれる。以下に、本願出願当初の特許請求の範囲に記載された発明を付記する。
【０１５２】
（付記１）
音声を録音する録音手段と、
指定された遡及時間を受け付ける受付手段と、
利用者が所定操作を行ったことに応じて、前記録音手段によって録音された音声において、基準時間から前記遡及時間分遡った位置に付加情報を付加する情報付加手段と、
を備える、
ことを特徴とする音声録音装置。
【０１５３】
（付記２）
前記基準時間は、前記録音手段が音声を録音中、利用者が所定操作を行った時間である、
ことを特徴とする付記１に記載の音声録音装置。
【０１５４】
（付記３）
前記付加情報は、属性情報が対応付けられたアイコン、文書が対応付けられたアイコンまたは画像が対応付けられたアイコンのうち、少なくとも何れか１つのアイコンである、
ことを特徴とする付記１または２に記載の音声録音装置。
【０１５５】
（付記４））
前記録音手段が音声を録音中、該音声の音声波形を表示手段に表示する音声波形表示手段を備え、
前記情報付加手段は、利用者が所定操作を行ったことに応じて、前記表示手段に表示された音声波形上において、基準時間から前記遡及時間分遡った位置に付加情報を表示する、
ことを特徴とする付記１乃至３の何れか一つに記載の音声録音装置。
【０１５６】
（付記５）
前記録音手段が音声を録音中、該音声を解析して解析情報を取得する解析手段と、
前記表示手段に表示された音声波形と共に前記解析情報を表示する解析情報表示手段と、
をさらに備える、
ことを特徴とする付記４に記載の音声録音装置。
【０１５７】
（付記６）
前記解析情報は、前記音声のうち、人間の発した声を含む音声区間を示す情報、該音声を対象とした音声認識によって認識された音声が示すテキストまたは該音声を対象としたスペクトル分析の結果を示すサウンドスペクトログラムのうち、少なくとも何れか１つである、
ことを特徴とする付記５に記載の音声録音装置。
【０１５８】
（付記７）
前記受付手段が受け付ける遡及時間は複数あり、
前記複数の遡及時間それぞれに対応する軸を前記録音された音声の音声波形上に表示する軸表示手段と、
前記受付手段が複数の遡及時間のうち指定された遡及時間を受け付けたことに応じて、該受け付けた遡及時間に対応する軸のみを他の軸より強調する態様で表示する強調表示手段と、
をさらに備える、
ことを特徴とする付記１乃至６の何れか一つに記載の音声録音装置。
【０１５９】
（付記８）
音声を録音する録音ステップと、
指定された遡及時間を受け付ける受付ステップと、
利用者が所定操作を行ったことに応じて、前記録音ステップで録音された音声において、基準時間から前記遡及時間分遡った位置に付加情報を付加する情報付加ステップと、
を含む、
ことを特徴とする音声録音方法。
【０１６０】
（付記９）
コンピュータを、
音声を録音する録音手段、
指定された遡及時間を受け付ける受付手段、
利用者が所定操作を行ったことに応じて、前記録音手段によって録音された音声において、基準時間から前記遡及時間分遡った位置に付加情報を付加する情報付加手段、
として機能させるためのプログラム。
【符号の説明】
【０１６１】
１…音声録音装置、１０…録音部、１１…音声出力部、１２…表示部、１３…操作部、１４…撮像装置、１５…入出力インタフェース、１６…ＲＡＭ、１７…記憶装置、１７ａ…制御プログラム、１７ｂ…録音データ、１７ｃ…表示データ、１８…制御装置、１０１…音声波形表示部、１０２…受付部、１０３…軸表示部、１０４…強調表示部、１０５…情報付加部、１０６…解析部、１０７…解析情報表示部、ＲＷ…録音画面、ＳＷ…音声波形、Ｉｍ…マークアイコン、Ｉｔ…メモアイコン、Ｉｐ…写真アイコン、Ｉｆ…属性アイコン、Ａ１０、Ａ５、Ａ０…軸アイコン、Ｂ１０、Ｂ５、Ｂ０…指定ボタン、Ｂｍ…マークボタン、Ｂｔ…メモボタン、Ｂｐ…写真ボタン、ＲＳ…録音開始ボタン、ＲＥ…録音停止ボタン、ＭＷ…メニュー画面、ＰＷ…再生画面、ＶＳ…有声区間を示す網掛けアイコン、ＰＳ…再生開始ボタン、ＯＢ１〜ＯＢ１２…操作ボタン、ＰＶＳ…仮の有声区間を示す網掛けアイコン、ＳＰ…サウンドスペクトログラム、ＴＸ…テキスト
【図１】
2016156978.tif 000003
【図２】
2016156978.tif 000004
【図３】
2016156978.tif 000005
【図４】
2016156978.tif 000006
【図５】
2016156978.tif 000007
【図６】
2016156978.tif 000008
【図７】
2016156978.tif 000009
【図８】
2016156978.tif 000010
【図９】
2016156978.tif 000011
【図１０】
2016156978.tif 000012
【図１１】
2016156978.tif 000013
【図１２】
2016156978.tif 000014
【図１３】
2016156978.tif 000015
【図１４】
2016156978.tif 000016
【図１５】
2016156978.tif 000017